(57)【要約】【課題】  攪拌羽根を回転させて攪拌を行う攪拌装置において、攪拌羽根の着脱を容易にする。【解決手段】  攪拌する食材を収容する攪拌容器と、該攪拌容器内で軸回転する攪拌軸と、該攪拌軸に取り付けた攪拌羽根からなる攪拌装置であって、前記攪拌羽根は羽根部４と攪拌軸の間に攪拌軸と着脱自在に結合する結合部を設けている攪拌装置において、攪拌羽根の結合部は、羽根部４を接続しているベース部５と、ベース部５の左右及び上面にかぶせるキャップ部６からなり、ベース部５は羽根部４を接続している下部に切り欠き８を設け、上面側に攪拌軸が入る結合凹部１５を設けておき、キャップ部６の下部には前記ベース部の切り欠き８に対応する位置にツメ９を設けることで、ベース部５の切り欠き８にキャップ部６のツメ９をスライドさせて組み合わせるようにしておき、組み合わせた際にベース部５とキャップ部６の間にできる貫通孔によって攪拌軸を挟み込む構造とする。【選択図】図１
2006000694.tif 000002
【特許請求の範囲】
【請求項１】
攪拌する食材を収容する攪拌容器と、該攪拌容器内で軸回転する攪拌軸と、該攪拌軸に取り付けた攪拌羽根からなり、攪拌羽根を攪拌容器内で回転することで攪拌容器内に収容した食材を攪拌する攪拌装置であって、前記攪拌羽根は羽根部と攪拌軸の間に攪拌軸と着脱自在に結合する結合部を設けている攪拌装置において、
攪拌羽根の結合部は、羽根部を接続しているベース部と、ベース部の左右及び上面にかぶせるキャップ部からなり、ベース部は羽根部を接続している下部に切り欠きを設け、上面側に攪拌軸が入る結合凹部を設けておき、キャップ部の下部には前記ベース部の切り欠きに対応する位置にツメを設けることで、ベース部の切り欠きにキャップ部のツメをスライドさせて組み合わせるようにしておき、組み合わせた際にベース部とキャップ部の間にできる貫通孔によって攪拌軸を挟み込む構造としたことを特徴とする攪拌装置の攪拌羽根取付け構造。
【請求項２】
請求項１に記載の攪拌装置の攪拌羽根取付け構造において、
ボールプランジャー等のストッパー装置を設けることで、キャップ部がずれないようにしたことを特徴とする攪拌装置の攪拌羽根取付け構造。
【請求項３】
請求項１又は２に記載の攪拌装置の攪拌羽根取付け構造において、
攪拌羽根の羽根部はベース部ではなくキャップ部に接続していることを特徴とする攪拌装置の攪拌羽根取付け構造。
【発明の詳細な説明】
【技術分野】
【０００１】
本発明は攪拌装置の攪拌羽根取付け構造に関するものである。
【背景技術】
【０００２】
食材を攪拌しながら調理する装置として、例えば図４に示すような攪拌装置が知られている。図４の攪拌装置は、内部に水平な攪拌軸２が貫通している攪拌容器１内に食材を入れ、攪拌軸２に接続している攪拌羽根３を回転させることで食材を攪拌するものである。攪拌羽根３は攪拌軸２に複数個結合しておき、攪拌羽根３を回転させることによって先端の羽根部４で食材をかき上げるようにして攪拌する。攪拌羽根３は、洗浄するために取り外すことのできる構造とする必要があり、特開２００３−１１７３７５号公報に記載があるように、攪拌羽根の結合部をベース部とキャップ部とし、ベース部とキャップ部は攪拌軸を挟み込んで結合することが行われている。ベース部とキャップ部の結合には、ベース部とキャップ部を組み合わせた際に貫通する挿通孔を設けておき、挿通孔に締結ピンを通して固定するのが一般的であった。特開２００３−１１７３７５号公報に記載の発明であれば、割ピンによって脱落を防止している結合ピンと、治具の操作で締め付ける締結ピンで結合するようにしている。
【０００３】
特開２００３−１１７３７５号公報に記載している発明の構造とすることで、治具の必要なピンの本数を減少することができたとされているが、依然として攪拌羽根の着脱には煩雑な作業が必要であった。また、締結ピンの先端が突出するなど、結合部の表面には凹凸があり、突出している締結ピンとキャップ部の間にできる隙間などに食材が入り込んだ場合、入り込んだ食材は取り出しにくくなる。分解すれば掃除することができるが、攪拌羽根の着脱には手間が掛かるために表面的な掃除で済まされることが多くあり、不衛生になりやすい構造であった。
【特許文献１】特開２００３−１１７３７５号公報
【発明の開示】
【発明が解決しようとする課題】
【０００４】
本発明が解決しようとする課題は、攪拌羽根を回転させることによる攪拌を行う攪拌装置において、攪拌羽根の着脱を容易に行うことができるようにすることにある。
【課題を解決するための手段】
【０００５】
攪拌する食材を収容する攪拌容器と、該攪拌容器内で軸回転する攪拌軸と、該攪拌軸に取り付けた攪拌羽根からなり、攪拌羽根を攪拌容器内で回転することで攪拌容器内に収容した食材を攪拌する攪拌装置であって、前記攪拌羽根は羽根部と攪拌軸の間に攪拌軸と着脱自在に結合する結合部を設けている攪拌装置において、
攪拌羽根の結合部は、羽根部を接続しているベース部と、ベース部の左右及び上面にかぶせるキャップ部からなり、ベース部は羽根部を接続している下部に切り欠きを設け、上面側に攪拌軸が入る結合凹部を設けておき、キャップ部の下部には前記ベース部の切り欠きに対応する位置にツメを設けることで、ベース部の切り欠きにキャップ部のツメをスライドさせて組み合わせるようにしておき、組み合わせた際にベース部とキャップ部の間にできる貫通孔によって攪拌軸を挟み込む構造とする。
【０００６】
また、請求項２に記載の発明では、前記の攪拌装置の攪拌羽根取付け構造において、
ボールプランジャー等のストッパー装置を設けることで、キャップ部がずれないようにしている。請求項３に記載の発明では、前記の攪拌装置の攪拌羽根取付け構造において、
攪拌羽根の羽根部はベース部ではなくキャップ部に接続している。
【発明の効果】
【０００７】
本発明を実施することによって、攪拌羽根の取付けは、羽根部の付いたベース部を攪拌軸にあてがった状態で、キャップ部を側面からスライドさせるだけで固定することができる。また、攪拌羽根の取り外しも、キャップ部を側面へスライドさせるだけで分解することができるようになる。そのため、攪拌羽根の着脱は極めて容易となる。なお、攪拌羽根を回転させた際に攪拌羽根結合部に掛かる荷重の方向と、攪拌羽根結合部のキャップ部を取り外す際に必要な力の方向は異なっているため、攪拌時の荷重によって攪拌羽根が外れることはない。そのため、ボールプランジャー等の簡単なストッパー装置のみでもキャップ部が外れることを防止することができる。
【発明を実施するための最良の形態】
【０００８】
図１から図３は、本発明装置の一実施例における攪拌羽根結合部を示したものであり、図１は分解状態の攪拌羽根結合部斜視図、図２は結合状態の攪拌羽根結合部縦断面図、図３は結合途中の攪拌羽根結合部横断面図である。また、図４は本発明を実施している攪拌装置の全体を示した一部断面図、図５は他の実施例における攪拌羽根結合状態の斜視図である。
【０００９】
攪拌装置は、攪拌する食材を収容する攪拌容器１と、該攪拌容器１内で攪拌する攪拌機構からなる。攪拌機構には、攪拌容器１内を水平に貫通する攪拌軸２と、攪拌軸２に結合した複数の攪拌羽根３があり、図示しない回転装置によって攪拌軸２を軸回転させることで、攪拌羽根３を回転させて食材の攪拌を行う。攪拌羽根３は、攪拌軸２と結合する結合部７と、結合部７から攪拌容器１の内面に向けて伸びている羽根部４からなり、結合部７は攪拌軸２と着脱できるようにしている。
【００１０】
結合部７は羽根部４を接続しているベース部５と、ベース部５の左右側面及び上面にかぶせるキャップ部６からなる。なお、結合部７は攪拌軸２の周りで回転することで上下が反転するものであるため、ベース部５の向きは図１を基準とし、羽根部４の側を下面、反対面側を上面、攪拌軸２が貫通する面を手前面と奥面、後述するキャップ部止め部材１４を設けている面を左側面と右側面、と名付けて説明する。また、ベース部５の向きが決まればキャップ部６の向きも決まるため、キャップ部６も図１を基準とし、ベース部５に対応させて上下左右前後の向きを定めておく。
【００１１】
ベース部５は、下面に羽根部４を接続し、上面側には攪拌軸と平行となる結合凹部１５を設けた断面略Ｕ字型であり、厚みを持ったさすまた型の形状をしている。結合凹部１５は、底面が半円形であって、図１の手前面から奥面へ突き抜けており、攪拌軸２を挟み込んだ際には、結合凹部１５の半円底面が攪拌軸２に接触することになる。結合凹部底面の中央付近にはほぞ穴１３、攪拌軸２の対応する位置にほぞ１２を設けておき、攪拌軸２のほぞ１２をベース部５のほぞ穴１３に差し込むことで、ベース部５が攪拌軸２の周りで滑ることを防止する。
【００１２】
ベース部５の下面には、前記結合凹部１５と平行な２本の切り欠き８を設けている。切り欠き８はベース部下面にある２つの角部を長方形に削り取った形状であり、切り欠き８も手前面から奥面まで達している。ベース部５の左右側面には手前面に近い位置に突起形状のキャップ部止め部材１４を設け、ベース部５の上面にはプランジャー受け１１としてくぼみを設けておく。
【００１３】
キャップ部６は、直方体からベース部５の形状分と攪拌軸２の入る部分をくり抜いたような形状であり、上板及び左右側板と上板中央から下方へ垂直に延ばした結合凸部１６を持っている。結合凸部１６は下面に断面半円のくぼみを設けており、ベース部５にある結合凹部１５の半円面と組み合わせることで円柱形の貫通孔を作ることができる。キャップ部６の下部には、ベース部５の切り欠き８に合わせてツメ９を設けておき、ツメ９を切り欠き８に沿わせて差し込むことで、キャップ部６が外れないようにする。
【００１４】
キャップ部上板の下面にはベース部５のプランジャー受け１１に対応する位置にボールプランジャー１０、キャップ部６の左右側板にはベース部５のキャップ部止め部材１４に対応する位置に切り欠きを設ける。キャップ部６のボールプランジャー１０とベース部５のプランジャー受け１１は、キャップ部６がキャップ部止め部材１４に当たった時にボールプランジャー１０がプランジャー受け１１に入る位置に設置しておく。
【００１５】
攪拌軸２に攪拌羽根３を取り付ける場合、まず攪拌軸２のほぞ１２がベース部５のほぞ穴１３に入るようにベース部５の結合凹部１５を攪拌軸２にあてがう。次にキャップ部６をベース部５の奥側に置き、キャップ部６にある二本のツメ９をベース部５の切り欠き８に入れ、キャップ部６をベース部５に沿わせて手前方向にスライドさせる。キャップ部６がキャップ部止め部材１４に当たり、キャップ部６のボールプランジャー１０がベース部５のプランジャー受け１１に入ると、結合は終了である。
【００１６】
食材の攪拌を行う場合、攪拌軸２を軸回転させることで攪拌羽根３を円状に回転させて攪拌を行う。攪拌羽根３を回転させている時、結合部７には攪拌羽根３の回転方向とは逆向きに荷重が掛かることになる。ベース部５とキャップ部６に回転方向の荷重が掛かっても、ベース部５とキャップ部６は互いに組み合っているために外れることはない。結合ピンで固定する従来構造の場合には一点に荷重が集中することになるが、上記実施例のような嵌合構造とした場合、回転時の荷重はベース部の左右側面やツメ９の広い面で支えるようになるため、より壊れにくい構造となる。
【００１７】
また、攪拌羽根３を外すにはキャップ部６を攪拌軸２と平行方向へ動かす力が必要であるが、攪拌羽根３の回転時に掛かる荷重は攪拌軸２に対して垂直方向の力であり、力の向きが全く異なるため、回転時の荷重によってキャップ部６が外れるということはない。
なお、キャップ部６にボールプランジャー１０を設けるのは、振動などによってキャップ部６が外れることを防止するためであり、自然の状態ではキャップ部６を外す方向の力が掛かることはないため、ボールプランジャー１０のような簡単なストッパー装置でキャップ部６を固定することができる。
【００１８】
攪拌終了後、攪拌羽根３を洗浄する場合には、キャップ部６を取り外し方向へ押し出すのみでベース部５とキャップ部６を分解することができ、攪拌羽根３を簡単に取り外すことができる。また、従来構造の結合部では表面に締結ピンの突起や締結ピンとキャップ部の間に食材のたまる隙間ができ、隙間に入った食材は攪拌羽根３を接続した状態では掃除しにくいという問題があった。しかし、結合部を上記実施例の構造とすることで、結合部７は直方体であって表面に突起や隙間はないため、攪拌羽根３を接続した状態でも容易に掃除することができる。
【００１９】
次に図５に示している他の実施例について説明する。図５の場合も基本的な構造は上記第一の実施例と同じであるため、同一部の説明は省略する。大きな相違点は、ベース部５の結合凹部１５を浅くするとともに、キャップ部６には結合凸部１６をなくしたことと、羽根部４をベース部５ではなくキャップ部６に接続している点が挙げられる。
【００２０】
結合凹部１５を浅くして結合凸部１６をなくした構造の場合、攪拌羽根３の回転時に攪拌羽根３からの荷重を支える面積が小さくなるため、攪拌時に大きな荷重が掛かるものについては第一の実施例に記載した構造の方が望ましい。しかし、攪拌時の荷重が比較的小さいものであれば問題なく使用することができ、形状が単純になるため製造コストを低減することができる。また、ベース部５とキャップ部６を結合した場合、攪拌羽根３の回転による荷重はベース部５とキャップ部６でそれぞれ受けることになるため、羽根部４をベース部５に接続するするのと、キャップ部６に接続するので相違することはない。そのため、羽根部４をキャップ部６に接続することも可能である。さらに、攪拌軸２を六角棒とし、ベース部５とキャップ部６の間にできる貫通孔も六角形とした点も相違している。このことで、ベース部５のほぞ穴と攪拌軸２のほぞを設けなくても回転時に軸周囲での空滑りを防止することができる。
【図面の簡単な説明】
【００２１】
【図１】分解状態の攪拌羽根結合部斜視図
【図２】結合状態の攪拌羽根結合部縦断面図
【図３】結合途中の攪拌羽根結合部横断面図
【図４】攪拌装置の全体を示した一部断面正面図
【図５】他の実施例における攪拌羽根結合状態の斜視図
【符号の説明】
【００２２】
１  攪拌容器        
２  攪拌軸      
３  攪拌羽根        
４  羽根部      
５  ベース部            
６  キャップ部        
７  結合部
８  切り欠き
９  ツメ
１０  ボールプランジャー
１１  プランジャー受け
１２  ほぞ
１３  ほぞ穴
１４  キャップ部止め部材
１５  結合凹部
１６  結合凸部
【図１】
2006000694.tif 000003
【図２】
2006000694.tif 000004
【図３】
2006000694.tif 000005
【図４】
2006000694.tif 000006
【図５】
2006000694.tif 000007